(57)【要約】【課題】専用の機械などを用いることなく、ウレタンフィルムなど、特殊なフィルムを用いることなく、被包装物を梱包容器内に保持固定させ、梱包容器天面からの取出しも容易となる梱包容器とする。【解決手段】伸縮性のある網状ネットを用いて、或は任意な素材から成るフィルムに、差込穴や切り込み（スリット）を施したフィルムとして、任意な形状の梱包容器の相対する側面上部等に突起部を設けた梱包容器として、その突起部に網状ネット両端部の空隙をそれぞれ嵌め込み、張り上げられた網状ネット上に被包装物を戴置し、その表面に、折り返し被覆するに十分な長さのとした網状ネットの端部を突起部に嵌め込み、被包装物を略サンドイッチ状に固定、或は、上下２枚の上記同様とした網状ネットで被包装物を略サンドイッチ上に保持固定することで、物流時に於ける衝撃からも保護され、天面からの取出しも容易と成り、梱包容器内にも収まる構造とした。【選択図】図１
2018079980.tif 000002
【特許請求の範囲】
【請求項１】
ポリエチレンフィルムやポリプロピレンフィルムやウレタンフィルム等の合成樹脂材料を材料とした任意な素材、形状から成る網状ネットは伸縮性を有するので、それを梱包容器に合わせた開口部全面、又は被包装物に合致した形状として、任意な巾と長さとした寸法として、被包装物を包装する梱包容器の開口部となる、相対する側面上部等に、上記網状ネットを保持する突起部とする任意な形の凹凸形状を施し、そしてそれには釣り針の先に施された、略かえし状の構造を付加としたものも含む突起部として、相対する突起部に、それぞれ網状ネットの任意な位置の空隙に嵌め込み保持固定させ、張り上げられたその網状ネットの表面上に被包装物を戴置することで、被包装物はその加重等で網状ネットは沈み込み、更にその表面を覆うに必要十分な形状と長さとした網状ネットで折り返し、その網状ネットの端部を突起部に嵌め込み固定、または、梱包容器開口部や、被包装物に合わせた、任意な巾と長さとした上下２枚の網状ネットを、被包装物戴置ネットと、表面被覆ネットとして、任意な位置の容器突起部に嵌め込むことで、被包装物を略サンドイッチ状態で挟み保持固定され、物流時に於ける振動なども緩衝し得る構造としたことを特徴とした梱包容器である。
【請求項２】
身とフタとに分かれるＣ式形状とした四角形、円形等任意な形状の梱包容器の、身の開口部となる側面上部等に、請求項１と同様に凹凸形状の突起部を設け、同じく網状ネットも同様とした構造、使用方法として主に内装梱包容器として、また外装梱包容器内に収められ使用される構造としたことを特徴とした梱包容器である。
【請求項３】
フタ、底を有しない、任意な高さ（深さ）の側面体を梱包容器躯体として、その天面開口部に、請求項１と同様に凹凸形状の突起部等を設け、同じく網状ネットも同様とした構造、使用方法として主に内装梱包容器として、また外装梱包容器内に収められ使用される構造としたことを特徴とした梱包容器である。
【請求項４】
任意な素材から成る樹脂フィルムや、布、不織布や、強度を付加した紙質系シート等任意な素材を材料として、その表面の任意な位置に、請求項１に示す突起部に、嵌め込めるためや、伸張性を加味させるための形状とする円形や、楕円や、直線、曲線など任意な形状の穴や、切り込み（スリット）を加工し、施し設けたフィルムを、被包装物を戴置、被覆する材料として、請求項１と同様に作成された構造としたことを特徴とした梱包容器である。
【請求項５】
請求項２、３、に示す様式で、身とフタとを任意な寸法とした一対の、略Ｃ式四角形や、円形等、任意な形状の梱包容器の、身とフタ、それぞれの開口部から底面に架けて、請求項１と４とに示す、伸縮性や伸張性を有する網状ネットの材料とした、筒状（チューブ）として被せ、一方の梱包容器開口部表面に被包装物を戴置し、もう一方の梱包容器開口部は反転させ、被包装物表面に被覆することで被包装物は保持され、主に内装梱包容器として、また外装梱包容器内に納められ使用される構造としたことを特徴とした梱包容器である。
【発明の詳細な説明】
【技術分野】
【０００１】  本発明は、物流保管時に於ける被包装物を収納する、梱包容器に関するものである。
【背景技術】
【０００２】  従来、被包装物を、梱包すべき容器内に収納するに際し、容器と被包装物との空間を埋めるに際し、被包装物を保護固定する緩衝材を使用したり、熱可塑性フィルムを用いるスキンパックや、ブリスターパックなどの固定方法によるものが実用に供されている。【０００２】  また、ベースと成る台紙上に、被包装物を載せ、その表面には、台紙に熱溶着等して接合した伸縮性のあるポリウレタンフィルムで覆い、台紙を折り返すなどして被包装物を固定、または前記台紙とポリウレタンフィルムとを熱溶着して作成された台紙を、上下二枚の固定材として、被包装物を挟んで使用する方法などが供されている。【０００３】  しかし、スキンパックや、ブリスターパックは、専用のフィルムや、機械設備等を必要とするなど費用が嵩む問題があり、台紙と、台紙に熱溶着して接合したポリウレタンフォームとの隙間に、被包装物を挟みこんで固定する方法では作業性が悪く、スキンパックや、ブリスターパックと同様、台紙天面からの被包装物の取出しが出来ず、取出し作業も良くない欠点がある。【０００４】  この改善策として、被包装物を固定するに、特殊なフィルムを用いることなく、任意な伸縮性を有する任意な巾と長さとした網状ネットを用いて、梱包容器の任意な面の、天面開口側面上部等に施した凹凸の突起部に網状ネット端部を嵌め込み固定し、続けて相対する面の開口側面上部等に施した凹凸の突起部に、同じく嵌め込み固定した状態としたその網状ネット上に被包装物を戴置し、更にその網状ネットを、反転折り返し被包装物の表面を覆い被せ、相対する側面上部の凹凸突起部に網状ネット端部を嵌め込むことで、略サンドイッチ状に被包装物は保持固定され、専用の機械設備を必要とせず、また被包装物の天面からの取り出しも、被包装物の天面を覆った網状ネットを突起部から取り外すだけなので、容易となる構造とした。
【特許文献】特開２０１４−１５１９１７号公報
【特許文献】特開２０１６−０２２９５８号公報
【発明の開示】
【発明が解決しようとする課題】
【０００５】  解決しようとする問題点は、専用の機械設備やフィルムを用いることなく、また、台紙とフィルムで構成され、台紙とフィルムとの間から、被包装物を差込む作業は困難でもあり、非能率的であるし、台紙上に置かれ、熱溶着されたフィルムで覆い被された被包装物を天面から取出すには、カッターや鋏など何らかの道具を必要とし、容易に取出しできない点でもある。
【問題を解決しようとする手段】
【０００６】  本発明は、専用の機械設備を用いることなく、梱包容器の任意な面の天面開口側面上部等に施した凹凸突起部に、任意な伸縮性のある、任意な巾と長さの網状ネットを嵌め込み、そして相対する側面上に施した凹凸突起部に嵌め込み出来たネット上に、被包装物を戴置し、更にネットを折り返し反転させ、被包装物の表面に覆い被せ、ネット端部を梱包容器側面上部に施された凹凸突起部に嵌め込み、略サンドイッチ状態に保護固定される構造としたので、容器天面からの取出しも、上部ネットだけを突起部から取り外すだけの容易な構造としたことを最も主要な特徴とする。
【発明の効果】
【０００７】  本発明の梱包容器は、高額となる専用機械設備等を準備することなく、任意な素材から成る伸縮性のある網状ネットを、任意な巾と長さとして、梱包容器の向かい合う天面開口部となる側面上部等に施した突起部にそれぞれ嵌め込み、張り上げられたネット上に、被包装物を戴置することで、網状ネットはその加重で沈み込み、網目にも保持固定され、更にネットを被包装物の表面に覆い被せ、相対する側面上部等に施された突起部に嵌め込むことで、略サンドイッチ状態となるので、作業性も良好であり、被包装物の取出しも、上部網状ネットを突起部から何ら道具を使用することなく取り出しが可能となるという利点がある。
【発明を実施するための最良の形態】
【０００８】  梱包容器とする容器天面開口部となる側面上部等に施した、例えば、釣り針先端にある、略かえし部形状も施して凹凸状とした突起部に、容器天面開口部を覆うに十分な巾と長さとして、少なくとも相対する側面上部等に、それぞれ伸縮性のある網状ネットを嵌め込み、張り上げられ出来たネット上に、被包装物を戴置することで、被包装物は自重又は加重などで沈み込み中空保持され、更に網状ネットを被包装物の表面に覆い被せて、その網状ネット端部を、相対する容器側面上部等の突起部に嵌め込むことで、被包装物は略サンドイッチ状に保持固定されるし、また表面に覆い被せられた上部網状ネットも、突起部からカッターや鋏などを用いることなく、容易に取り外せることが可能な梱包容器となることを実現した。
【実施例】
【０００９】  図１は、本発明のフタ付梱包容器の天面開口部に、被包装物を戴置する網状ネットを覆い被せた状態を示す斜視図であり、請求項１の状態を具現化したものであり、図２は、網状ネット表面上に被包装物を戴置し、その加重で沈み込んだ状態を示すフタを除いた容器側面からの略断面図であり、図３は、図２に戴置された被包装物の表面に網状ネットを折り返し被覆した状態を示した略断面図である。【００１０】  図４は、筒状の網状ネットに、容器を差込み覆い被せる斜視図であり、図５は、出来た一対となる容器の開口側面上部に施した突起部に、網状ネットを保持固定した片方の表面上に、被包装物を戴置した側面断面図であり、図６は、もう一方の容器の開口部とを、合い合わせることで被包装物は、保持される状態を示した側面断面図である。
【産業上の利用可能性】
【００１１】  網状ネットの上に戴置された被包装物は、中空に保持される構造ともなるので、被包装物が物流保管時に於ける衝撃から保護する緩衝材の使用と、その費用、作業時間などを低減させ得、汎用性が広がる。
【図面の簡単な説明】
【００１２】
【図１】梱包容器側面上部に施した突起部に、反転可能となる任意な巾と長さとした網状ネットを嵌め込み固定した状態を示す略斜視図である。
【図２】図１に示す梱包容器から、フタ部分を除いた側面断面である。
【図３】図２から、被包装物の表面に、網状ネットを折り返し被覆した状態を示す側面断面図である。
【図４】筒状の網状ネットに、梱包容器となる容器を差込み、網状ネットが被覆された梱包容器とした状態を示す略斜視図である。
【図５】図４に示す梱包容器に、被包装物を戴置した状態を示す側面断面図でである。
【図６】図４とした梱包容器を一対として、容器開口部を互いに正対させて、被包装物を保持させた状態を示す側面断面図である。
【符号の説明】
【００１３】    １      網状ネット
１−ａ  筒状網状ネット
２      梱包容器
２−ａ  突起部をＣ式容器側面上部に施した梱包容器
２−ｃ  梱包容器フタ
２−ｓ  梱包容器側面
３      突起部
３−ａ  容器側面上部の突起部
４      被包装物
４−ａ  筒状網状ネット上に戴置された被包装物
【図１】
2018079980.tif 000003
【図２】
2018079980.tif 000004
【図３】
2018079980.tif 000005
【図４】
2018079980.tif 000006
【図５】
2018079980.tif 000007
【図６】
2018079980.tif 000008